(57)【要約】      （修正有）【課題】煩雑な作業を行なわなくてもバックアップデータの作成処理と二次電池の充電との双方が簡単に行なわれる撮影装置を提供する。【解決手段】電源コード２００のＡＣジャックがＡＣ電源端子１６に挿入され交流電源とデジタルカメラ１が接続されたら、内蔵されている二次電池の充電が開始される。さらにこの充電の開始を受けて、デジタルカメラ１内のメモリカードに記録されている画像データが、外部のデータ蓄積装置例えばパーソナルコンピュータ３に送信される。パーソナルコンピュータ３は、画像データの送信を受けてメモリカード内の画像データの複写データをバックアップ用の画像データとしてハードディスク内に記録する。【選択図】図３
2007081945.tif 000002
【特許請求の範囲】
【請求項１】
内蔵された二次電池により動作し撮影により被写体の画像データを生成して記憶しておく撮影装置において、
この撮影装置の電源のオン、オフを切り替える電源スイッチと、
外部から電力供給を受けて、内蔵された二次電池を充電する充電回路と、
前記二次電池からこの撮影装置への電力の供給を担う電力供給回路と、
記憶された画像データを外部に無線送信する送信回路とを備え、
前記電力供給回路は、電源オフ状態における前記充電回路による充電開始を受けて、前記送信回路に電力を供給し、
前記送信回路は、前記充電回路による充電開始を受けて、記憶された画像データの無線送信を開始するものであることを特徴とする撮影装置。
【請求項２】
前記送信回路は、画像データの無線送信中における前記二次電池の充電の中断を受けて、該中断の時点で送信している途中の画像１枚分の画像データの送信を完了させてから、無線送信を中断するものであることを特徴とする請求項１記載の撮影装置。
【請求項３】
電源オフ状態における前記送信回路による画像データの無線送信を許可するか否かを設定する送信可否スイッチを備え、
前記電力供給回路は、電源オフ状態における画像データの無線送信が許可されている場合に限り、電源オフ状態における前記充電回路による充電開始を受けて前記送信回路に電力を供給し、
前記送信回路は、電源オフ状態における画像データを無線送信が許可されている場合に限り、前記充電回路による充電開始を受けて、記憶された画像データの無線送信を開始するものであることを特徴とする請求項１記載の撮影装置。
【請求項４】
前記送信回路による画像データの送信状態をユーザに知らせる通知部を備えたことを特徴とする請求項１記載の撮影装置。
【請求項５】
メモリカードが着脱自在に装填されるカード装填部を備え、この撮影装置は、撮影により得られた画像データを該カード装填部に装填されたメモリカードに記録していくものであって、
前記カード装填部が、該カード装填部へのメモリカードへの装填の有無を電源オフ状態にあっても検出するセンサを備え、
前記電力供給部は、電源オフ状態における前記充電回路による充電開始を受けて、前記送信回路に電力を供給し、
前記送信回路は、前記カード装填部にメモリカードが装填されている場合に限り、前記充電回路による充電開始を受けて、該メモリカードに記録されている画像データの無線送信を開始するものであることを特徴とする請求項１記載の撮影装置。
【請求項６】
前記送信回路による画像データの送信結果を記憶しておき前記電源スイッチが次に電源オン状態に切り替えられた際に該送信結果をユーザに向けて通知する送信結果通知部を備えたことを特徴とする請求項１記載の撮影装置。
【発明の詳細な説明】
【技術分野】
【０００１】
本発明は、内蔵された二次電池により動作し撮影により被写体の画像データを生成して記憶しておく撮影装置に関する。
【背景技術】
【０００２】
最近の撮影装置は、内蔵された二次電池により動作するものが多く、この二次電池は充電しさえすれば容量が回復するので、撮影装置の多くは付属品として二次電池を充電するための充電装置を具備しているものが多い。この充電装置の中には、充電を行なうだけでなく、通信部を備えていて外部の機器に画像データを転送することができるようにしているものもある。このようなものの中には、撮影装置の充電を行なうために撮影装置が載置台に載置されたときに撮影装置の電源スイッチがオフ側に切り替えられていたとしても自動的に撮影装置内の画像データを読み出してバックアップ用の画像データを取得するとともに二次電池に対して充電を開始する充電装置がある（例えば特許文献１参照）。
【０００３】
しかしながら、この特許文献１のものでは、電源コードを接続するほか、ステーションに撮影装置を載置するとともにそのステーションと外部のデータ蓄積装置とをインタフェースケーブルにより接続するという煩雑な作業が必要になる。
【特許文献１】特開２００４−３０４６１７号公報
【発明の開示】
【発明が解決しようとする課題】
【０００４】
本発明は、上記事情に鑑み、煩雑な作業を行なわなくてもバックアップ用の画像データの作成処理と二次電池の充電処理との双方が簡単に行なわれる撮影装置を提供することを目的とする。
【課題を解決するための手段】
【０００５】
上記目的を達成する本発明の撮影装置は、内蔵された二次電池により動作し撮影により被写体の画像データを生成して記憶しておく撮影装置において、
この撮影装置の電源のオン、オフを切り替える電源スイッチと、
外部から電力供給を受けて、内蔵された二次電池を充電する充電回路と、
上記二次電池からこの撮影装置への電力の供給を担う電力供給回路と、
記憶された画像データを外部に無線送信する送信回路とを備え、
上記電力供給回路は、電源オフ状態における上記充電回路による充電開始を受けて、上記送信回路に電力を供給し、
上記送信回路は、上記充電回路による充電開始を受けて、記憶された画像データの無線送信を開始するものであることを特徴とする。
【０００６】
上記本発明の撮影装置によれば、例えば電源コードがこの撮影装置に接続され外部から電力供給を受けたときに上記充電回路による二次電池の充電が開始されるとともに、その充電開始にあわせて上記記録された画像データの無線送信が開始される。
【０００７】
そうすると、いままでのようにわざわざステーションとデータ蓄積装置とをインタフェースケーブルで接続してさらにこの撮影装置をステーションに載せるといった煩雑な作業がなくなり、電源コードを差し込むという簡単な作業で充電とともにバックアップ用の画像データの作成処理が開始される。
【０００８】
以上説明したように、煩雑な作業を行なわなくてもバックアップ用の画像データの作成処理と二次電池の充電処理との双方が簡単に行なわれる撮影装置が実現する。
【０００９】
ここで、上記送信回路は、画像データの無線送信中における上記二次電池の充電の中断を受けて、その中断の時点で送信している途中の画像１枚分の画像データの送信を完了させてから、無線送信を中断するものであることが好ましい。
【００１０】
そうすると、例えば電源コードが充電中に抜かれてしまった場合には送信している途中の画像1枚分の画像データの無線送信が完了してから送信中断の処理が行なわれるため、送信途中であった画像データを再度送信しなければならなくなるというようなことがなくなる。
【００１１】
また、電源オフ状態における上記送信回路による画像データの送信を許可するか否かを設定する送信可否スイッチを備え、
上記電力供給回路は、電源オフ状態における画像データの無線送信が許可されている場合に限り、電源オフ状態における上記充電回路による充電開始を受けて上記送信回路に電力を供給し、
上記送信回路は、電源オフ状態における画像データを送信が許可されている場合に限り、上記充電回路による充電開始を受けて、記憶された画像データの無線送信を開始するものであることが好ましい。
【００１２】
そうすると、電源オフ状態における上記送信回路による画像データの無線送信がユーザにより許可されている場合に限り、画像データの送信が開始され、不許可の場合には画像データが送信されなくなる。
【００１３】
これは画像データの無線送信が常に行なわれてしまう構成であると、場合によってはユーザが送信を行ないたくないと思っている場合にも画像データの送信が行なわれてしまうからである。上記構成によるとユーザが上記送信可否スイッチを予め選択操作しておくことで、例えば電源コードが接続されたときに画像データの無線送信が自動的に行なわれるようにすることも、また行なわれないようにすることもできる。
【００１４】
また、上記送信回路による画像データの送信状態をユーザに知らせる通知部を備えた態様であることが好ましい。
【００１５】
そうすると、上記送信回路によって無線送信が開始されたであるとか、無線送信中であるとか、無線送信が終了したであるとかの送信状態がユーザに通知され、その通知によりユーザによって無線送信の状態が監視されるようになる。
【００１６】
また、メモリカードが着脱自在に装填されるカード装填部を備え、この撮影装置は、撮影により得られた画像データをそのカード装填部に装填されたメモリカードに記録していくものであって、
上記カード装填部が、そのカード装填部へのメモリカードへの装填の有無を電源オフ状態にあっても検出するセンサを備え、
上記電力供給部は、電源オフ状態における上記充電回路による充電開始を受けて、上記送信回路に電力を供給し、
上記送信回路は、上記カード装填部にメモリカードが装填されている場合に限り、上記充電回路による充電開始を受けて、そのメモリカードに記録されている画像データを送信するものであることが好ましい。
【００１７】
上記送信回路は、上記カード装填部にメモリカードが装填されていないときに画像データの送信を行なおうとすると、メモリカードが装填されていないにも拘わらずメモリカードにアクセスして余計な検索処理を実行してしまう恐れがある。
【００１８】
そこで、メモリカードが装填されているか、メモリカードが装填されていないかを電源オフ状態にあっても上記センサで検出し、メモリカードが装填室に装填されている場合に限り、送信処理を行なう様にして上記のような無駄を省く様にしている。
【００１９】
また、上記送信回路による画像データの送信結果を記憶しておき上記電源スイッチが次に電源オン状態に切り替えられた際にその送信結果をユーザに向けて通知する送信結果通知部を備えた態様であることが好ましい。
【００２０】
そうすると、上記送信結果通知部により前回の画像データの無線送信がすべて完了しているか、あるいは途中までで終わっているか等の送信結果がユーザに通知される。
【００２１】
ユーザは、その通知により再度送信を行なう、あるいは送信を行なう必要がないということなどを判断することができる。
【発明の効果】
【００２２】
以上、説明したように、煩雑な作業を行わなくてもバックアップデータの作成処理と二次電池の充電との双方が簡単に行なわれる撮影装置が実現する。
【発明を実施するための最良の形態】
【００２３】
以下、本発明の実施の形態について説明する。
【００２４】
図１は本発明の一実施形態であるデジタルカメラ１の外観を示す図である。
【００２５】
図１に示すデジタルカメラ１の正面中央にはレンズ鏡胴１００が備えられている。そのレンズ鏡胴１００に撮影光学系１０が内蔵されている。そのレンズ鏡胴１００の上方にはファインダ１１が備えられており、そのファインダ１１の横にはフラッシュ光発光窓１２が備えられている。またこのデジタルカメラ１を動作状態にするための電源スイッチ１３が正面右斜め下方に設けられており、カメラボディの上面部にはシャッタボタン１４ａが備えられている。また、レンズ鏡胴１００の左斜め上方には本発明にいう通知部にもあたるＬＥＤ１５が設けられている。このＬＥＤ１５は、緑と赤の２色で発光が可能なものであって、ユーザにこのデジタルカメラ１の動作状態を通知するための表示部として用いられる。
【００２６】
さらにデジタルカメラ１の側面には、電源コード２００の一端側に設けられているＡＣジャック２０１が挿入されるＡＣ電源端子１６と、後述する送信回路による送信を許可するか否かを設定する送信可否スイッチ１７が設けられている。この送信可否スイッチ１７がＯＮ側に切り替えられていると、背面側にあるコネクタ（不図示）に着脱自在に装着されたアンテナ１８からメモリカード（後述する）に記録されている多くの画像データの複写データが外部のデータ蓄積装置例えばＰＣへと送信されその複写データがバックアップ用のデータとしてそのＰＣ内のハードディスク内に記憶されるようになっている。このときには上記ＬＥＤ１５が点滅あるいは点灯して無線送信が開始されたであるとか、無線送信中であるとか等がユーザに通知されるようにもなっている。
【００２７】
図２は図１のデジタルカメラ１の内部の構成を示す構成ブロック図である。
【００２８】
図２を参照してデジタルカメラ１内部の構成を説明する。
【００２９】
本実施形態のデジタルカメラ１ではすべての処理がシステム制御回路１１０によって統括的に制御されている。このシステム制御回路１１０は、不揮発性メモリ１１０１内に格納されているプログラムの処理手順に従ってこのデジタルカメラ１の動作を制御する。
【００３０】
なお、本実施形態においでは電源スイッチ１３がオフ状態にあったとしてもシステム制御回路１１０と不揮発性メモリ１１０１とメモリカード検知手段１１０Ｂとメモリカード装填室１とには二次電池Ｂｔからの電力が常に供給される構成になっている。こうしておくと、システム制御回路１１０によって電源スイッチ１３の操作状態が監視されるとともに、電源スイッチ１３がオフ状態にあったとしても電源コードのＡＣジャック２０１が電源端子１６に挿入されたときには交流電源からの電力の供給を受けて電力供給回路１６１を通して送信回路１６１に電力を供給させることによりその送信回路１６１にメモリカード２１０に記憶された多数の画像データの送信を順次に行なわせることもできる。
【００３１】
またこのデジタルカメラ１は、通常携帯され、電源スイッチがオン側に切り替えられると内蔵された二次電池Ｂｔからの電力供給により動作するようになっている。このため、システム制御回路１１０の入力部には、電力供給回路１６１から各部に電力を供給するか否かを行なわせるかどうかを選択するための電源スイッチ１３が接続されていてその電源スイッチ１３が操作されてオン側に切り替えられたらシステム制御回路１１０から電力供給回路１６１に指示が伝えられて二次電池Ｂｔからの電力が電力供給回路１６１を通して各部に供給される様になっている。
【００３２】
その後、図１に示したシャッタボタン１４（図２にはシャッタボタンを含むものとして操作部１４と記載してある）を含むいくつかの操作子のいずれかからの操作信号がこのシステム制御回路１１０に供給されてくると、それらの操作子のうちのいずれかの操作に応じた処理が開始されるようになっている。
【００３３】
まず、電源スイッチ１３がオン側に切り替えられて電源供給回路１６１を通して各部に電力が供給されて動作状態になったデジタルカメラ１の撮影処理およびその撮影処理に関わる処理部の構成を、図２を参照して簡単に説明する。
【００３４】
図２に示すように、図１に示すレンズ鏡胴１００内にはフォーカスレンズやズームレンズといった撮影レンズ１０２１、さらに光量調節用の絞り１０４１などを備えた撮影光学系１０が配備されている。またこの例においては撮影光学系１０内の撮影レンズ１０２１を保護するレンズバリア１０１１が配備されている場合の例が示されており、電源スイッチ１３が投入されるとそのレンズバリア１０１１が解放されて図１に示すように撮影光学系を構成する撮影レンズ１０の中の対物レンズが表面に露出する構成になっている。
【００３５】
この電源スイッチ１３が投入されたときにモードダイヤル（不図示）が撮影側に切り替えられていた場合には、まず撮影光学系１０により捉えた被写体像がＣＣＤ固体撮影素子１２０に結像され、ＣＣＤ固体撮像素子１２０に結像された被写体像が、タイミング発生回路１２１からのタイミング信号に基づいて所定の間隔ごと（３３ｍｓごと）に間引かれてＡ／Ｄ変換回路１３０側に出力される。Ａ／Ｄ変換回路１３０ではアナログの画像信号からデジタルの画像信号に変換され、さらにデジタルの画像信号がメモリ制御部１１１ａの制御の基、画像処理回路１４０に導かれる。この画像処理回路１４０でＲＧＢの画像信号からＹＣ信号に変換され、さらにメモリ制御部１１１ａの制御の基、画像表示メモリ１５１に導かれてスルー画を表わす画像信号がその画像表示メモリ１５１内に記憶されるようになっている。この画像表示メモリ１５１内に記憶された１フレーム分の画像信号がメモリ制御部１１１ａにより読み出されてＤ／Ａ変換回路１５０に導かれアナログの画像信号に変換されてから画像表示部１５１に供給される。この例では、画像表示部１５１に所定の間隔ごとに新しい画像信号を供給することができるようにするために画像表示メモリ１５２を設けて、その画像表示メモリ１５２に少なくとも２フレーム分の画像信号を記憶することにより表示タイミングをうまく調整することができるようにしている。
【００３６】
また、本実施形態においては、ホワイトバランス調整やγ補正、さらに前述した様に測光や測距がシステム制御回路１１０で行なわれる例が示されていてＲＧＢのアナログ信号がそのシステム制御回路１１０に供給されると、そのシステム制御回路１１０内でホワイトバランス調整やγ補正や測光や測距等が行なわれて絞り１０４１の開口制御やフォーカスレンズ（１０２１）の合焦点への配置制御が行なわれるようになっている。
【００３７】
ここで画像信号の流れとともに各部の動作を詳細に説明していく。
【００３８】
まずスルー画の画像信号の流れに沿って各部の動作を簡単に説明しておく。
【００３９】
タイミング発生回路１２１からのタイミング信号（例えば３３ｍｓごと）に応じて、撮影光学系１０でＣＣＤ固体撮像素子１２０上の受光面に結像させた被写体像を表わす画像信号を後段のＡ／Ｄ変換回路１３０へと出力させる。このＡ／Ｄ変換回路１３０でアナログの画像信号からデジタルの画像信号に変換された画像信号が、メモリ制御部１１１ａの制御の基、画像処理回路１４０とシステム制御回路１１０との双方に導かれる。一方の画像処理回路１４０によってＲ色、Ｇ色、Ｂ色の各信号が色温度検出回路１４１に供給され、その色温度検出回路１４１により検出された各色の色温度がシステム制御回路１１０に供給される。システム制御回路１１０では、それらの色温度に応じたホワイトバランス調整が行なわれ、ホワイトバランス調整が行なわれた後のＲ、Ｇ、Ｂの各色信号がメモリ制御部１１１ａの制御の基、再度画像処理回路１４０に供給される。その画像処理回路１４０によってホワイトバランス調整が行なわれた後のＲ、Ｇ、Ｂ信号が表示用のＹＣ信号に変換されて後段の画像表示メモリ１５２に供給される。
【００４０】
この画像表示メモリ１５２には少なくとも２フレーム分の画像信号が記憶されるようになっており、２フレーム分の画像信号のうち、古い時刻に記憶された１フレーム分の画像信号がＤ／Ａ変換部１５０に導かれアナログ信号に変換されて画像表示部１５１に供給されスルー画が表示画面上に表示される。
【００４１】
また、前述したようにシステム制御回路１１０ではＴＴＬ測距が行なわれその測距結果に基づいて測距制御手段１０３０に指示して常に合焦点にフォーカスレンズ（１０２１）を配置させるようにしたり、また不図示のズームスイッチが操作されたときにはズーム制御手段１０２０に指示してそのズームスイッチの操作によるズーム倍率に応じた位置にズームレンズ（１０２１）を配置させるようにもしている。
【００４２】
このようにして常にピントのあった、ズームスイッチ（不図示）の操作位置に応じたズーム倍率のスルー画が表示されているときにシャッタボタン１４が押されたら撮影処理が開始される。
【００４３】
システム制御回路１１０は、シャッタボタン１４が押されたタイミングでタイミング発生回路１２１に露光開始信号をＣＣＤ固体撮像素子１２０に向けて供給させる。そうしたら所定のシャッタ秒時を経た後に今度は露光終了信号をＣＣＤ固体撮像素子１２０に向けて供給させる。
【００４４】
その露光終了信号に同期してＣＣＤ固体撮像素子１２０からＡ／Ｄ変換回路１３０に画像信号が出力される。そのＡ／Ｄ変換回路１３０によってＣＣＤ固体撮像素子１２０から出力されたアナログの画像信号がデジタルの画像信号に変換され、さらにこのデジタルの画像信号がメモリ制御部１１１ａに制御されバスを経由してメモリ１８０に供給される。そのメモリ１８０にＣＣＤ固体撮像素子１２０が備えるすべての画素からなる画像信号がすべて記憶されたら、今度はシステム制御回路１１０の制御の基、その画像信号が読み出されてシステム制御回路１１０で前述のホワイトバランス調整やガンマ補正などが行なわれる。さらに画像信号がバスを介して画像処理回路１４０に供給されＹＣ信号への変換が行なわれる。さらにＹＣ信号からなる画像信号がバスを介して圧縮・伸張回路１９０に供給されＹＣ信号からなる画像信号が圧縮されて記憶媒体ここではメモリカード２１０に記憶される。このデジタルカメラ１では、電源スイッチ１３が投入されシャッタボタン１４が押されるとこのような撮影処理が行なわれる。
【００４５】
また本実施形態のデジタルカメラ１には、充電回路１６２が内蔵されており、前述したＡＣ電源端子１６に電源コード２００の先端部に在るＡＣジャック２０１が挿入され交流電源とこのデジタルカメラ１が接続されると、自動的に充電が開始されるようになっている。このようにしておくと、電源コード２００を挿入するという簡単な作業を行なうだけで二次電池Ｂｔに充電を行なうことができる。さらに本実施形態のデジタルカメラでは、この充電処理を受けて画像データの無線送信処理を開始するようにしてバックアップ用の画像データの作成処理も開始するようにしている。このようにしておくと、ユーザは電源コードを挿入するという簡単な作業を行うだけで二次電池の充電処理とバックアップ用の画像データの作成処理との双方を行なうことができるようになる。
【００４６】
ここで、本発明の特徴部分にあたる電力供給回路１６１廻りの構成およびその電力供給回路１６１と送信回路１１１との関わりを説明する。
【００４７】
本実施形態のデジタルカメラ１では、電源スイッチ１３がオフ状態にあったとしても図２に示すＡＣジャック２０１がＡＣ電源端子１６に挿入された場合には、その挿入に応じてスイッチＳＷ１が自動的に接続され電源供給回路１６１から充電回路１６２に電力が供給されて自動的に充電回路１６２に二次電池Ｂｔの充電が開始されるようになっている。さらにこの充電回路１６２による二次電池Ｂｔの充電の開始を受けてシステム制御回路１１０は、電力供給回路１６２に、送信回路１１１への電力供給を行なわせることによって送信回路１１１に、メモリカード２１０に記憶された画像データの無線送信を行なわせるようにしている。
【００４８】
この例においては二次電池Ｂｔと交流電源との双方から同時に電力供給回路１６１に電力が供給されることのないように、ＡＣ／ＤＣコンバータ１６０の出力電圧を二次電池Ｂｔ側の出力電圧よりも高くなるように設定し、さらに双方の経路にダイオードＤ１，Ｄ２をそれぞれ挿入して自動的に電力の供給経路の切替を行なうことができるようにしてある。さらにここでは電力供給回路１６１内にＡＣ／ＤＣコンバータ１６０の出力電圧と二次電池Ｂｔの出力電圧の違いを検出する検出部を設けてその検出部の結果に基づいてシステム制御回路１１０が電力供給回路１６０に指示して送信回路１１１に電力を供給させるか、供給させないかを切り替えることができるようにもしてある。
【００４９】
このようにしておくと、ＡＣジャック２０１がＡＣ電源端子１６に挿入されたときにＡＣジャック２０１の挿入に応じてスイッチＳＷ１が自動的に接続側に切り替わることにより充電回路１６２による二次電池への充電が開始されるとともに、システム制御部１１０が、ＡＣ／ＤＣコンバータ１６０側からの電力の供給を受けていることを電力供給回路１６１内の検出部からの検出信号により検知したときに電力供給回路１６１に指示して電力供給回路１６１から送信回路１１１へ電力の供給を行なわせることができる。
【００５０】
さらにその送信回路１１１から送信されてくる画像データを受信することができるようにＰＣ側の受信部が設定されていたとすると、ＰＣにバックアップ用の画像データの複写データが次々と受信され受信された複写データがバックアップ用の画像データとしてハードディスク内に次々と記録されることとなる。
【００５１】
ここで、このデジタルカメラ１とＰＣ３とで構成されるバックアップシステムの構成を簡単に説明しておく。
【００５２】
図３は、本発明のデジタルカメラ１とＰＣ３とを備えたバックアップシステムを説明するためのイメージ図である。
【００５３】
図３に示すようにデジタルカメラ１のＡＣ電源端子１６に電源コード２００のＡＣジャックが挿入されると、自動的に二次電池の充電と送信回路による外部への画像データの送信が開始される。例えば、送信回路が、ＰＣ３にアクセス可能な状態に予め設定されているとすれば、ＡＣ電源ジャック２１０が電源端子１６に挿入されたと同時にＰＣ３が送信可能であるかどうかが、相互の無線送信（ニゴシエーション）により確認され、確認後に画像データの無線送信が開始されるようになる。そうするとＰＣ３によってデジタルカメラ１から無線送信されてきた画像データが次々と受信されＰＣ２内のハードディスクにそれらの画像データが次々と記憶される。
【００５４】
また、このようにバックアップの画像データの作成処理が自動的に開始される本実施形態のデジタルカメラ１にあっては、電源コード２００の先端部のＡＣジャック２０１がＡＣ電源端子１６に挿入され送信準備が整えられているときには送信準備中であることを示すためにＬＥＤ１５が点滅したり、送信回路１１１により画像データの送信が開始されたときには送信中であることを示すためにＬＥＤ１５が点灯したりしてユーザにバックアップ用の画像データの送信状態がどの段階にあるかを通知することができるようにしてある。
【００５５】
図４は、送信状態をユーザに通知するときのＬＥＤ１５の表示態様の一例を説明する図である。
【００５６】
図４のハッチングは、ＬＥＤ１５が点灯状態であることを示し、図４の白抜きはＬＥＤ１５が消灯状態であることを示す。
【００５７】
図４に示すように、送信回路１１１による送信が行なわれていなければ、ＬＥＤ１５はすべて消えている。この状態にあるときに例えばＰＣ３との間でニゴシエーションが行なわれて送信が可能であることが判明したら、ＬＥＤ１５が緑色の発光色で点滅して送信準備完了であることがユーザに通知される。次に充電回路による充電が開始されたことを受けて送信が開始されたらＬＥＤ１５が点滅表示から点灯表示に変わる。このようにＬＥＤ１４の表示態様が送信回路の処理状況に応じて変わるようになっていると、送信準備ＯＫであるとか、送信が開始されて送信中であるとかの送信状態がＬＥＤの表示態様によりユーザに通知されるようになる。
【００５８】
さらに送信回路１１１による無線送信にエラーが発生したことがシステム制御回路により検知されたときには、エラー発生時にＬＥＤ１５の表示色を緑色から赤色に変えてさらに点滅表示にすることによって送信エラーが発生したことをユーザに分かり易く伝えるようにもしている。また、本実施形態では、ＡＣジャック２０１がＡＣ電源端子１６に挿入されたときにＬＥＤ１４を赤色で点灯させる様にして送信可能であることを赤色の点灯によりユーザに通知することができるようにもしてある。このＬＥＤ１５が本発明にいうところの通知部にあたる。
【００５９】
ここで、システム制御回路１１０が行なう画像データのバックアップ処理を説明する。
【００６０】
図５は、システム制御回路１１０が行なうバックアップ処理の手順を示すフローチャートである。このフローの処理は電源スイッチ１３がオフ状態にあるときにＡＣジャック２０１がＡＣ電源端子１６に挿入されたときに開始される。
【００６１】
ステップＳ５０１で、電源コードが挿入されたら次のステップＳ５０２でＬＥＤ１５を赤色点灯させる。次のステップＳ５０３へ進んでステップＳ５０３で送信可否スイッチ１７がオンであるかどうかを判定する。ここで、送信可否スイッチ１７がオフ側に切り替えられていると判定したらＮｏ側に進んでこのフローの処理を終了する。ステップＳ５０３で送信可否スイッチ１７がオンになっていると判定したら、Ｙｅｓ側へ進んでステップＳ５０４でメモリカード検知手段１１０３の検知結果に基づいてメモリカード２１０がメモリ装填室１１０Ａ内に在るかどうかを判定する。このステップＳ５０４でメモリカード２１０が装填されていないと判定したらＮｏ側に進んでこのフローの処理を終了する。このステップＳ５０４でメモリカードが装填されていると判定したらＹｅｓ側に進んでステップＳ５０５で充電回路１６２により充電が開始されたことを電力供給回路１６１からの検出信号により確認したら電力供給回路１６１に指示して送信回路１１１に電力を供給させて無線送信を開始させる。次のステップＳ５０６で送信回路１１１が送信相手の有無の探索を開始する。ここで送信相手から受信可能であるという回答が得られたと判定したときには次のステップＳ５０７へ進んで接続可能な画像蓄積装置が見つかったとしてＬＥＤ１５を緑色点滅させる。さらに次のステップＳ５０８へ進んで送信回路１１１に送信を開始させる。その送信を受けたＰＣ３がデータを受信したらＰＣ側でバックアップ用の画像データが次々と記録される。
【００６２】
送信回路による無線送信中にステップＳ５０９の処理により送信の途中で電源コード２００が抜かれていないかどうかを判定し、電源コード２００が抜かれていないと判定したらＮｏ側へ進んでステップＳ５１０ですべての送信が完了した後、ＰＣから受信完了通知例えばＡＣＫが送信されてきたかどうかを判定する。ＰＣ側からそのＡＣＫが送信されてきて送信が正常に完了したと判定したら次のステップＳ５１１でＬＥＤ１５を緑色点灯させる。さらに次のステップＳ５１２へ進んでバックアップが正常終了したということを示すコードデータをメモリ１１０Ｃに書き込んでこのフローの処理を終了する。
【００６３】
また、ステップＳ５１０で画像データの送信が完了せずに送信失敗の知らせをＰＣ側から受けたときには、Ｎｏ側に進んでＬＥＤを赤色点滅させステップＳ５１６で異常終了したということを示すコードデータをメモリに書き込んでこのフローの処理を終了する。
【００６４】
また、ステップＳ５０９で送信の途中で電源コードが抜かれたということを電力供給回路１６１もしくは充電回路１６２からの信号に基づいて判定したときには、ステップＳ５１３でその中断の時点でバックアップの途中にあった画像１枚分の画像データの無線送信（フローには転送という言葉で記載されている）を二次電池の電力を用いて完了させてから無線送信を中断する処理を行なってさらにＬＥＤの消灯処理を行なう。次のステップＳ５１４でバックアップが途中で終了したことを示すコードをメモリ１１０Ｃに書き込んでこのフローの処理を終了する。
【００６５】
ここで、ステップＳ５０９で、途中でＡＣ電源コード２００が抜かれ送信中の画像一枚分の画像データを二次電池の電力を用いて送信しようとしたときに、もしも二次電池Ｂｔの容量が足りなかった場合にはバックアップ処理が終了する前にシステムダウンしてしまう恐れがある。
【００６６】
そこで、システム制御回路１１０が、二次電池Ｂｔの容量を充電回路１６２内の出力電圧モニタによりチェックすることができるようにしておいて充電回路１６２内の電圧モニタからのモニタ結果により二次電池Ｂｔの容量が足りないときには、サムネイル画像のみを送信するようにしておくと良い。
【００６７】
図６は、二次電池の容量をチェックするように変更して二次電池の容量が少ない場合にはサムネイル画像のみを送信するようにした場合のシステム制御回路の処理を示すフローチャートである。
【００６８】
ステップＳ５０１からステップＳ５０９までの処理は同じであるが、ステップＳ５０９Ａで二次電池の容量が充分であるかどうかの判定ステップを付け加えている。このステップＳ５０９Ａで容量が少ないと判定したときにＮｏ側に進んで一枚分の画像データを送信せずにステップＳ５１３でサムネイル画像を表わす画像データのみを送信するように変更している。
【００６９】
このようにサムネイル画像データを送信することができるようにしておくと、二次電池の容量が少なくても充分に送信が行なわれるようになる。例えば、後からバックアップが正常に終了したかどうかをユーザに通知するときに、その送信したサムネイル画像データに基づくサムネイル画像を表示画面上に表示することにより、その画像の送信中に電源コードが抜かれたということをユーザに対して通知することもできる。
【００７０】
また本実施形態のデジタルカメラでは、電源スイッチ１３が投入されてこのデジタルカメラ１による撮影が行なわれようとしているときに、前回のバックアップデータ処理がどのような状態で終わったかをユーザに対して通知するようにもしている。
【００７１】
図７は、電源スイッチが投入されたときにシステム制御回路が行なう処理の手順を示すフローチャートである。
【００７２】
ステップＳ７０１で、電源スイッチ１３が投入されたかどうかを判定する。次のステップＳ７０２で電源スイッチが投入される前にバックアップ処理が行なわれたかどうかを判定する。このステップＳ７０２でバックアップ処理が行なわれていないと判定したらＮｏ側に進んでこのフローの処理を終了する。
【００７３】
バックアップが行なわれたと判定したらＹｅｓ側に進んでステップＳ７０３で図６のフロー中のステップＳ５１２、ステップＳ５１４、ステップＳ５１６の処理によりメモリ１００Ｃに書き込んだコードデータを確認してバックアップデータの作成が正常に行なわれたかどうかを判定する。このステップＳ７０３でバックアップが正常に終了したと判定したらＹｅｓ側に進んでステップＳ７０４で自動バックアップが成功した旨の表示を表示画面上に表示してこのフローの処理を終了する。
【００７４】
またこのステップＳ７０３で画像データの送信が途中で終了したと判定したらＮｏ側に進んで送信の途中で画像データの送信が終了したことをユーザに通知するためにバックアップされていない画像のうち、最も古い画像を画像表示部に指示して表示画面上に表示させる。さらに、ステップＳ７０６でその画像に重ねて再度バックアップ処理を行なうかどうかの問い合わせを画像表示部に指示して表示画面上に表示させる。次のステップＳ７０７でバックアップを行なうかどうかの問い合わせに対してバックアップを再開する側が操作により選択されたら、Ｙｅｓ側に進んでステップＳ７０８でバックアップ用の送信処理を再開して送信処理が終了したらこのフローの処理を終了する。
【００７５】
ステップＳ７０７でバックアップを再開しない側が操作により選択されたら何もせずにこのフローの処理を終了する。この例においては、メモリ１１０Ｃとシステム制御回路１１０と表示画面を備える画像表示部１５１とが送信結果通知部にあたる。
【００７６】
このようにしておくと、電源スイッチ１３の投入時に前回のバックアップの状況がユーザに通知され、バックアップ処理を再開するかどうかの判断材料をユーザに提供することができるようになる。
【００７７】
以上説明したように、煩雑な作業を行なわなくてもバックアップデータの作成処理と二次電池の充電処理との双方が簡単に行なわれる撮影装置が実現する。また、バックアップが正常に終了したかどうかがユーザに通知されるようになるため、バックアップが途中で終了するようなことがあっても、その途中から引き続いてバックアップ処理を再開することができる。
【図面の簡単な説明】
【００７８】
【図１】本発明の一実施形態であるデジタルカメラ１の外観を示す図である。
【図２】図１のデジタルカメラ１の内部の構成を示す構成ブロック図である。
【図３】本発明のデジタルカメラ１とＰＣ３とを備えたバックアップシステムを説明するためのイメージ図である。
【図４】発光ダイオードの点灯あるいは点滅状態を説明する図である。
【図５】システム制御回路が行なうバックアップ処理の手順を示すフローチャートである。
【図６】図５の変形例を示すフローチャートである。
【図７】電源スイッチが投入されたときにシステム制御回路が行なう処理の手順を示すフローチャートである。
【符号の説明】
【００７９】
１    デジタルカメラ
１０    撮影光学系
１１    ファインダ
１２    フラッシュ光発光窓
１３    電源スイッチ
１４    シャッタボタン
１５    表示部
１６    ＡＣ電源端子
１６０    ＡＣ／ＤＣコンバータ
１６１    電力供給回路
１７    送信可否スイッチ
１００    レンズ鏡胴
１１０    システム制御回路
１１０１    不揮発性メモリ
１１１ａ    メモリ制御部
１１２    送信回路
１２０    ＣＣＤ
１２１    タイミング発生回路
１３０    Ａ／Ｄ変換回路
【図１】
2007081945.tif 000003
【図２】
2007081945.tif 000004
【図３】
2007081945.tif 000005
【図４】
2007081945.tif 000006
【図５】
2007081945.tif 000007
【図６】
2007081945.tif 000008
【図７】
2007081945.tif 000009